(57)【特許請求の範囲】
【請求項１】
床面と、袖壁と、を備えるエレベータの乗りかごであって、
前記袖壁は、エレベータを操作する操作部、又はエレベータの状態を表示する表示部、を備え、
少なくとも前記操作部又は前記表示部の鉛直下方に、障害部を有し、
さらにエレベータの乗客が乗降する乗降部を備え、
前記障害部は、前記床面と前記袖壁の接合部の少なくとも一部に設けられ、前記袖壁と前記乗降部の隣接部を端部とし、前記床面から傾斜して立ち上がる傾斜面を有することを特徴とする、
エレベータの乗りかご。
【請求項２】
平面視において、前記障害部の両端が、前記操作部又は前記表示部の両端から突出している、請求項１に記載のエレベータの乗りかご。
【請求項３】
前記障害部は、前記床面と平行である平行面を有する、請求項１又は２に記載のエレベータの乗りかご。
【発明の詳細な説明】
【技術分野】
【０００１】
本出願は、エレベータの乗りかごに関する。
【背景技術】
【０００２】
エレベータの乗りかごでは、一般に、エレベータを操作する操作部の前に、乗客が立つ場合が多い。そのため、操作部を操作しようとする他の乗客の邪魔になる。加えて、操作部が、行先階入力部が入力されているか否かを表示する機能（例えば、行先階入力部が入力されている場合に発光する機能）を備えている場合には、所望の行先階が既に入力されているか否かを視認しようとする他の乗客の邪魔になる。故に、操作部の前に乗客が立つことは好ましくない。
【０００３】
従来のエレベータの乗りかごは、例えば、床面にＬＥＤパネルを配置した乗客誘導装置を備えている（例えば、特許文献１）。ところで、特許文献１に係るエレベータの乗りかごにおいては、乗客がＬＥＤパネルを踏むことによって、ＬＥＤパネルが故障し、乗客を意図通りに誘導できない場合がある。
【先行技術文献】
【特許文献】
【０００４】
【特許文献１】特開２０１３−５６７５１号公報
【発明の概要】
【発明が解決しようとする課題】
【０００５】
そこで、解決する課題は、エレベータの操作部又は表示部の前に乗客が立つことを、簡易な構成により、抑制することができるエレベータの乗りかごを提供することである。
【課題を解決するための手段】
【０００６】
エレベータの乗りかごは、床面と、壁面と、を備えるエレベータの乗りかごであって、前記壁面は、エレベータを操作する操作部、又はエレベータの状態を表示する表示部、を備え、少なくとも前記操作部又は前記表示部の鉛直下方に、障害部を有することを特徴とする。
【０００７】
また、エレベータの乗りかごは、前記障害部は、前記床面と前記壁面の接合部の少なくとも一部に設けられる、という構成でもよい。
【０００８】
また、エレベータの乗りかごは、エレベータの乗客が乗降する乗降部をさらに備え、前記壁面は、エレベータの袖壁であって、前記障害部は、前記袖壁と前記乗降部の隣接部を端部とする、という構成でもよい。
【０００９】
また、エレベータの乗りかごは、平面視において、前記障害部の両端が、前記操作部又は前記表示部の両端から突出している、という構成でもよい。
【００１０】
また、エレベータの乗りかごは、前記障害部は、前記床面と平行である平行面を有する、という構成でもよい。
【図面の簡単な説明】
【００１１】
【図１】図１は、実施形態に係るエレベータの乗りかごの内部の模式図である。
【図２】図２は、実施形態に係る障害部を説明する説明図である。
【図３】図３は、実施形態に係るエレベータの乗りかご内部の平面図である。
【図４】図４は、第１変形例に係る障害部を説明する説明図である。
【図５】図５は、第２変形例に係るエレベータの乗りかご内部の平面図である。
【図６】図６は、第３変形例に係る障害部を説明する説明図である。
【図７】図７は、第４変形例に係る障害部を説明する説明図である。
【図８】図８は、第５変形例に係る障害部を説明する説明図である。
【００１２】
以下、本発明の実施形態について、図１〜図３を参照しながら説明する。なお、各図（図４〜図８も同様）において、図面の寸法比と実際の寸法比とは、必ずしも一致していない。また、各図面間の寸法比も、必ずしも一致していない。
【００１３】
図１は、実施形態に係るエレベータの乗りかごの内部の模式図である。
【００１４】
図１に示すように、本実施形態に係るエレベータの乗りかご１の内部には、床面２と、壁面３，３と、エレベータの状態を表示する表示部４と、エレベータの操作をする操作部５と、エレベータの乗客が乗降する乗降部６と、障害部７を備える。障害部７の具体的な態様については、図２を用いて後述する。
【００１５】
なお、本実施形態においては、乗降部６が開閉するときに、乗降部６が動作する方向を間口方向Ｘ、乗降部６に垂直な方向を奥行方向Ｙとする。さらに、鉛直方向を上下方向Ｚとする。
【００１６】
表示部４は、例えば、現在の乗りかご１が通過若しくは停止している階数、乗りかご１の移動方向、又は入力されている行先階を表示する。
【００１７】
なお、表示部４の構造は、特に限定されないが、例えば、液晶ディスプレイ、有機ＥＬディスプレイ、又は、複数のＬＥＤを点灯させる構造とすることができる。
【００１８】
操作部５は、乗降部６の開閉を操作する開閉操作部５ａと、乗りかご１の行先階を入力する行先階入力部５ｂとを有する。
【００１９】
なお、開閉操作部５ａと行先階入力部５ｂの構造は、特に限定されないが、例えば、各種ボタン、静電式タッチパネル、感圧式タッチパネル、又は、非接触スイッチとすることができる。
【００２０】
また、行先階入力部５ｂは、入力されている行先階に対応するボタンを発光させる、という構成とすることができる。これにより、行先階入力部５ｂは入力されている行先階を表示する、表示部としての機能を付加することができる。
【００２１】
壁面３は、袖壁３ａと側壁３ｂとを有する。なお、本実施形態においては、操作部５と表示部４は、袖壁３ａに取り付けられているが、このような場合に限らず、側壁３ｂに取り付けられてもよい。また、袖壁３ａ，３ａ及び側壁３ｂ，３ｂのうちのいずれか１つに取り付けられる場合に限らず、複数に取り付けられてもよい。さらにまた、操作部５と表示部４が同一面に取り付けられる場合に限らず、例えば、操作部５が袖壁３ａに取り付けられ、表示部４が他方の袖壁３ａや側壁３ｂ，３ｂのいずれかに取り付けられてもよい。
【００２２】
また、本実施形態においては、図３に示すように操作部５は袖壁３ａから突出して取り付けられているが、このような場合に限らず、例えば、操作部５と袖壁３ａが面一、つまり、段差なく取り付けられてもよい。
【００２３】
図２は、実施形態に係る障害部を説明する説明図である。
【００２４】
図２に示すように、操作部５の鉛直下方に、障害部７を有する、という構成である。
【００２５】
これにより、障害部７が操作部５の前に立とうとする乗客の障害となるため、操作部５の前に乗客が立つことを、簡易な構成により抑制することができ、操作部５を操作しようとする他の乗客は、容易に操作することができる。加えて、行先階入力部５ｂが、既に入力されている行先階に対応するボタンを発光させる、という構成である場合には、乗客は、所望の行先階に対応する行先階入力部が既に入力されているか否かを、容易に視認することができる。
【００２６】
また、仮に乗客が障害物７の上に立ったとしても、他の乗客から目立ってしまうため、障害部７によって、操作部５の前に乗客が長時間立つことを抑制することができる。
【００２７】
加えて、自律走行体（例えば、搬送ロボット、掃除ロボット）が乗りかご１に乗車する場合には、障害部７が操作部５の前に侵入しようとする自律走行体の障害となるため、乗客の操作部５の操作又は視認を、自律走行体が妨げることがなくなる。
【００２８】
また、障害部７の奥行方向Ｙの長さは、特に限定されないが、乗客が無理なく操作部５を操作することができるよう、例えば５０ｃｍとすることができる。
【００２９】
なお、前述の通り、操作部５と表示部４は、袖壁３ａ，３ａ及び側壁３ｂ，３ｂのうちのいずれか１つに取り付けられる場合に限らず、複数に取り付けられてもよい。その場合、障害部７を、操作部５又は表示部４の全ての鉛直下方に配置する場合に限らず、いずれか１つ又は２以上の操作部５又は表示部４の鉛直下方に配置することができる。
【００３０】
そして、障害部７は、床面２と袖壁３ａの接合部２ａの少なくとも一部に設けられるように構成されている。
【００３１】
これにより、障害部７に対して、奥行方向Ｙや上下方向Ｚに荷重が加わっても、障害部７が破損しにくくなる。
【００３２】
なお、障害部７の形状は、特に限定されないが、図２に示すように、楕円の一部を断面とする柱状の形状とするほか、乗客がつまずかないよう、例えば障害部７の側面を傾斜面とすることができる。
【００３３】
さらに、障害部７は、袖壁３ａと乗降部６の隣接部６ａを端部とするように構成されている。
【００３４】
これにより、乗降部６における乗客の乗降を妨げることなく、操作部５の前に乗客が立つことを抑制することができる。
【００３５】
さらにまた、障害部７は、床面２と平行である平行面７ａを有する。
【００３６】
これにより、乗りかご１に多数の乗客が乗車した場合には、一時的に平行面７ａに立つことができるため、乗りかご内の乗車可能なスペースが、障害部７によって減少することがなくなる。
【００３７】
図３は、実施形態に係るエレベータの乗りかご内部の平面図である。
【００３８】
図３に示すように、障害部７は、平面視において、障害部７の両端が、操作部５の両端から突出しているように構成されている。換言すると、図３の破線に示す操作部５の両端から、障害部７の両端が突出しているように構成されている。
【００３９】
これにより、操作部５の一部が隠れるように乗客が立つことを、障害部７によって抑制することができるため、操作部５の操作をしようとする他の乗客は、操作部５の全面において、容易に操作又は視認することができる。
【００４０】
以上より、本実施形態に係るエレベータの乗りかご１は、床面２と、袖壁３ａと、を備えるエレベータの乗りかごであって、前記袖壁３ａは、エレベータを操作する操作部５を備え、前記操作部５の鉛直下方に、障害部７を有することを特徴とする。
【００４１】
本実施形態の構成によれば、障害部７が操作部５の前に立とうとする乗客の障害となるため、操作部５の前に乗客が立つことを、簡易な構成により抑制することができ、操作部５を操作しようとする他の乗客は、容易に操作することができる。加えて、行先階入力部５ｂが、既に入力されている行先階に対応するボタンを発光させる、という構成である場合には、乗客は、所望の行先階に対応する行先階入力部が既に入力されているか否かを、容易に視認することができる。
【００４２】
また、本実施形態に係るエレベータの乗りかご１は、前記障害部７は、前記床面２と前記袖壁３ａの接合部２ａの少なくとも一部に設けられる、という構成である。
【００４３】
これにより、障害部７に対して、奥行方向Ｙや上下方向Ｚに荷重が加わっても、障害部７が破損しにくくなる。
【００４４】
また、本実施形態に係るエレベータの乗りかご１は、エレベータの乗客が乗降する乗降部６をさらに備え、前記障害部７は、前記袖壁３ａと前記乗降部６の隣接部６ａを端部とする、という構成である。
【００４５】
本実施形態の構成によれば、乗降部６における乗客の乗降を妨げることなく、操作部５の前に乗客が立つことを抑制することができる。
【００４６】
また、本実施形態に係るエレベータの乗りかご１は、平面視において、前記障害部７の両端が、前記操作部５の両端から突出している、という構成である。
【００４７】
本実施形態の構成によれば、操作部５の一部が隠れるように乗客が立つことを、障害部７によって抑制することができるため、操作部５の操作をしようとする他の乗客は、操作部５の全面において、容易に操作又は視認することができる。
【００４８】
また、本実施形態に係るエレベータの乗りかご１は、前記障害部７は、前記床面２と平行である平行面７ａを有する、という構成である。
【００４９】
本実施形態の構成によれば、乗りかご１に多数の乗客が乗車した場合には、一時的に平行面７ａに立つことができるため、乗りかご内の乗車可能なスペースが障害部７によって減少することがなくなる。
【００５０】
なお、エレベータの乗りかご１は、上記の実施形態の構成に限定されるものではなく、その趣旨を逸脱しない範囲内で種々の改良、修正、又は変形が可能である。例えば、下記の変形例の構成を選択し、上記の実施形態の構成に採用することも可能である。
【００５１】
（１）上記の実施形態に係るエレベータの乗りかご１においては、袖壁３ａは、エレベータを操作する操作部５を備え、操作部５の鉛直下方に、障害部７を有するという構成である。しかしながら、エレベータの乗りかご１は、このような構成に限られない。例えば、図４に示すように、側壁３ｂは、エレベータを操作する操作部５、又はエレベータの状態を表示する表示部４を備え、操作部５又は表示部４の鉛直下方に、障害部７を有するという構成であってもよい。
【００５２】
図４は、第１変形例に係る障害部を説明する説明図である。
【００５３】
例えば、図４に示すように、第１変形例に係るエレベータの乗りかご１は、側壁３ｂは、エレベータを操作する操作部５を備え、操作部５の鉛直下方に、障害部７を有する、という構成でもよい。
【００５４】
第１変形例の構成によれば、側壁３ｂに操作部５を備える場合であっても、操作部５の前に乗客が立つことを、簡易な構成により抑制することができ、操作部５を操作しようとする他の乗客は、容易に操作又は視認することができる。
【００５５】
（２）また、上記の実施形態に係る乗りかご１においては、平面視において、障害部７の両端が、操作部５の両端から突出している、という構成である。しかしながら、エレベータの乗りかご１は、このような構成に限られない。例えば、図５に示すように、平面視において、障害部７の端部が、操作部５又は表示部４の端部のうちのいずれか一方から突出している、という構成であってもよい。
【００５６】
図５は、第２変形例に係るエレベータの乗りかご内部の平面図である。
【００５７】
例えば、図５に示すように、第２変形例に係るエレベータの乗りかご１は、平面視において、障害部７の端部が、操作部５の端部のうちのいずれか一方から突出している、換言すると、図５の破線に示す操作部５の端部のうちの一方から、障害部７の端部が突出している、という構成でもよい。
【００５８】
第２変形例の構成によれば、乗客が立ちにくい障害部７の占有面積を小さくなるため、
操作部５を操作しようとする他の乗客は、容易に操作又は視認することができる一方、乗りかご内の乗車可能なスペースを確保することができる。
【００５９】
（３）また、上記の実施形態に係る乗りかご１においては、障害部７は、床面２と平行である平行面７ａを有する、という構成である。しかしながら、エレベータの乗りかご１は、このような構成に限られない。
【００６０】
図６は、第３変形例に係る障害部を説明する説明図である。
【００６１】
例えば、図６に示すように、第３変形例に係るエレベータの乗りかご１は、障害部７は、傾斜面７ｂで構成されてもよい。
【００６２】
第３変形例の構成によれば、障害部７に乗客が立ちにくくなるため、操作部５の前に乗客が立つことを、より効果的に抑制することができる。
【００６３】
（４）また、上記の実施形態に係る乗りかご１においては、障害部７は、床面２と袖壁３ａの接合部２ａの少なくとも一部に設けられる、という構成である。しかしながら、エレベータの乗りかご１は、このような構成に限られない。
【００６４】
図７は、第４変形例に係る障害部を説明する説明図である。
【００６５】
例えば、図７に示すように、第４変形例に係るエレベータの乗りかご１は、障害部７は、接合部２ａから離れて配置されてもよい。
【００６６】
第４変形例の構成によれば、比較的、障害部７が乗客から目につきやすくなり、乗客が衝突しにくくなる。
【００６７】
（５）また、上記の実施形態に係る乗りかご１においては、障害部７は一定の体積を占める構造部で構成されている。しかしながら、エレベータの乗りかご１は、このような構成に限られない。
【００６８】
図８は、第５変形例に係る障害部を説明する説明図である。
【００６９】
例えば、図８に示すように、第５変形例に係るエレベータの乗りかご１は、障害部７は、ブラシ７ｃで構成されてもよい。
【００７０】
第５変形例の構成によれば、乗客が障害部７に衝突した場合に、乗客の怪我を防止することができる。
【符号の説明】
【００７１】
１・・・乗りかご、２・・・床面、２ａ・・・接合部、３・・・壁面、３ａ・・・袖壁、３ｂ・・・側壁、４・・・液晶表示部、５・・・操作部、５ａ・・・開閉操作部、５ｂ・・・行先階入力部、      ６・・・乗降部、６ａ・・・隣接部、７・・・障害部、７ａ・・・平行面、７ｂ・・・傾斜面、７ｃ・・・ブラシ
【図１】
0006973538.tif 000002
【図２】
0006973538.tif 000003
【図３】
0006973538.tif 000004
【図４】
0006973538.tif 000005
【図５】
0006973538.tif 000006
【図６】
0006973538.tif 000007
【図７】
0006973538.tif 000008
【図８】
0006973538.tif 000009